(57)【特許請求の範囲】
【請求項１】
二つの役物を個別にワイヤ駆動するための駆動ユニットを有する遊技機であって、
前記駆動ユニットは、二つの回動アーム及び二つのソレノイドを有し、一方のソレノイドは一方の回動アーム及び一方のワイヤを介して一方の役物を駆動するとともに、他方のソレノイドは他方の回動アーム及び他方のワイヤを介して他方の役物を駆動するものであり、
前記一方のソレノイドと前記他方のソレノイドは、それぞれが有する可動子の往復直線移動方向が同じとなるように並んで配置されているとともに、該可動子のソレノイド本体からの突出方向が同じとなるように同じ向きに配置され、
前記二つの役物は、前記可動子の突出方向側または引込方向側のいずれか一方の同じ側に位置し、
前記二つの回動アームのそれぞれは、アーム本体、該アーム本体の回動中心である軸部、該アーム本体において前記可動子と正対する一方の回動端側に設けられ該可動子と連結されるソレノイド用連結部、及び該アーム本体において他方の回動端側に設けられたワイヤ用連結部を有し、
前記一方のソレノイドと前記他方のソレノイドの間に位置する平面であって前記可動子の前記往復直線移動方向と平行な平面を仮想境界面と規定し、
前記一方の回動アームと前記他方の回動アームは、それぞれの前記軸部が相互に平行でかつ前記仮想境界面に垂直となるように配置されているとともに、それぞれの前記ワイヤ用連結部が相対するように前記仮想境界面に向かって張り出して設けられており、
二つの前記ワイヤは、前記二つの役物のそれぞれの側から前記一方の回動アームと前記他方の回動アームの間に引き込まれて、対応する前記ワイヤ用連結部にそれぞれ連結されている、
ことを特徴とする遊技機。
【請求項２】
請求項１の遊技機であって、
前記二つの回動アームのそれぞれの前記ワイヤ用連結部は、前記アーム本体に設けられたピン穴、及び該ピン穴にピン部を以って挿入されるフランジピンを有し、
前記二つのワイヤのそれぞれにおいて前記ワイヤ用連結部に連結するための一端部には、ピン孔を有した取付部材が取り付けられ、
前記二つのワイヤは、前記取付部材の前記ピン孔に前記フランジピンの前記ピン部が遊挿されかつ該フランジピンのフランジ部によって該ピン部から抜け止めされることで、対応する前記ワイヤ用連結部にそれぞれ連結されており、
前記可動子の駆動範囲によって規定される一方のフランジ部と他方のフランジ部の相対移動量が最大となった場合でも、一方のフランジピンと他方のフランジピンが相互に前記フランジ部を以って当接して前記ピン穴からの抜け止め作用を奏するよう、前記一方のフランジ部と前記他方のフランジ部のそれぞれの外形寸法が設定されている、
ことを特徴とする遊技機。
【請求項３】
請求項１又は請求項２の遊技機であって、
前記駆動ユニットを少なくとも２セット有し、
一方の駆動ユニットに対応する前記仮想境界面と、他方の駆動ユニットに対応する前記仮想境界面は、共通の１つの面であり、
前記一方の駆動ユニットと前記他方の駆動ユニットは、それぞれの前記可動子の前記往復直線移動方向と平行で、かつ前記仮想境界面に垂直な別の仮想境界面を介して配置されているとともに、前記可動子の前記ソレノイド本体からの突出方向が相互に逆となるように逆向きに配置され、
前記一方の駆動ユニットの二つの役物は、対応する前記可動子の突出方向側に位置し、前記他方の駆動ユニットの二つの役物は、対応する前記可動子の引込方向側に位置し、
前記一方の駆動ユニットの前記二つの回動アームと、前記他方の駆動ユニットの前記二つの回動アームは、それぞれの前記ワイヤ用連結部がそれぞれの前記軸部に対して前記別の仮想境界面側に位置するように配置されており、
前記他方の駆動ユニットでは、該駆動ユニットによって駆動される二つのワイヤが、前記仮想境界面と前記別の仮想境界面との交線に沿って前記役物側から前記２つの駆動ユニットの間に設けられた隙間を通されて前記ワイヤ用連結部に至っている、
ことを特徴とする遊技機。
【発明の詳細な説明】
【技術分野】
【０００１】
本発明は、ワイヤ駆動の役物を有する遊技機に関する。
【背景技術】
【０００２】
従来、ソレノイド及びワイヤを用いて役物を駆動する遊技機が種々提案されている。例えば、下記特許文献１には、ソレノイドの可動子と役物とをワイヤを介して接続し、ソレノイドの可動子の移動に基いて役物を駆動させる点が開示されている。
【０００３】
【特許文献１】特開２００５−１３１０９６号公報
【発明の開示】
【発明が解決しようとする課題】
【０００４】
複数のソレノイド及び複数のワイヤで駆動する役物を用いて演出を行う場合、演出に関係しないソレノイド及びワイヤは、遊技盤上で目立たない方が望ましく、ソレノイド及びワイヤの設置スペースをできるだけ小さくする方が望ましい。この点、複数のワイヤを１本の細い通路に収納することが考えられるが、複数のソレノイドに接続された複数のワイヤのそれぞれを前記１本の細い通路に案内するための案内部が必要となり、該案内部のための設置スペースを確保する必要がある。
【０００５】
本発明は、上記問題点を解決するためになされたものであり、複数のソレノイド及び複数のワイヤで駆動する役物を有する遊技機において、前記役物を駆動する部材の設置スペースを小さくすることを目的とする。
【課題を解決するための手段】
【０００６】
請求項１に係る発明は、二つの役物を個別にワイヤ駆動するための駆動ユニットを有する遊技機であって、前記駆動ユニットは、二つの回動アーム及び二つのソレノイドを有し、一方のソレノイドは一方の回動アーム及び一方のワイヤを介して一方の役物を駆動するとともに、他方のソレノイドは他方の回動アーム及び他方のワイヤを介して他方の役物を駆動する。前記一方のソレノイドと前記他方のソレノイドは、それぞれが有する可動子の往復直線移動方向が同じとなるように並んで配置されているとともに、該可動子のソレノイド本体からの突出方向が同じとなるように同じ向きに配置される。前記二つの役物は、前記可動子の突出方向側または引込方向側のいずれか一方の同じ側に位置する。前記二つの回動アームのそれぞれは、アーム本体、該アーム本体の回動中心である軸部、該アーム本体において前記可動子と正対する一方の回動端側に設けられ該可動子と連結されるソレノイド用連結部、及び該アーム本体において他方の回動端側に設けられたワイヤ用連結部を有する。前記一方のソレノイドと前記他方のソレノイドの間に位置する平面であって前記可動子の前記往復直線移動方向と平行な平面を仮想境界面と規定し、前記一方の回動アームと前記他方の回動アームは、それぞれの前記軸部が相互に平行でかつ前記仮想境界面に垂直となるように配置されているとともに、それぞれの前記ワイヤ用連結部が相対するように前記仮想境界面に向かって張り出して設けられる。二つの前記ワイヤは、前記二つの役物のそれぞれの側から前記一方の回動アームと前記他方の回動アームの間に引き込まれて、対応する前記ワイヤ用連結部にそれぞれ連結されている。
【０００７】
上記遊技機によれば、２つのソレノイドに接続される２本のワイヤ間の距離が短くなるため、該ワイヤを収納する案内通路を狭くすることができ、また、２本のワイヤを案内通路に案内するための案内部を必要としない。これにより、役物を駆動する部材の設置スペースを小さくすることができる。
【０００８】
また、請求項２に係る発明は、請求項１の遊技機であって、前記二つの回動アームのそれぞれの前記ワイヤ用連結部は、前記アーム本体に設けられたピン穴、及び該ピン穴にピン部を以って挿入されるフランジピンを有している。前記二つのワイヤのそれぞれにおいて前記ワイヤ用連結部に連結するための一端部には、ピン孔を有した取付部材が取り付けられている。前記二つのワイヤは、前記取付部材の前記ピン孔に前記フランジピンの前記ピン部が遊挿されかつ該フランジピンのフランジ部によって該ピン部から抜け止めされることで、対応する前記ワイヤ用連結部にそれぞれ連結されている。前記可動子の駆動範囲によって規定される一方のフランジ部と他方のフランジ部の相対移動量が最大となった場合でも、一方のフランジピンと他方のフランジピンが相互に前記フランジ部を以って当接して前記ピン穴からの抜け止め作用を奏するよう、前記一方のフランジ部と前記他方のフランジ部のそれぞれの外形寸法が設定されている。
【０００９】
上記遊技機によれば、ソレノイドとワイヤとを接続する接続ピンのフランジ部が、常に他方のフランジ部と当接するため、ネジ止めを行う必要がない。これにより、駆動装置の組立てが容易になる。
【００１０】
また、請求項３に係る発明は、請求項１又は請求項２の遊技機であって、前記駆動ユニットを少なくとも２セット有する。一方の駆動ユニットに対応する前記仮想境界面と、他方の駆動ユニットに対応する前記仮想境界面は、共通の１つの面である。前記一方の駆動ユニットと前記他方の駆動ユニットは、それぞれの前記可動子の前記往復直線移動方向と平行で、かつ前記仮想境界面に垂直な別の仮想境界面を介して配置されているとともに、前記可動子の前記ソレノイド本体からの突出方向が相互に逆となるように逆向きに配置される。前記一方の駆動ユニットの二つの役物は、対応する前記可動子の突出方向側に位置し、前記他方の駆動ユニットの二つの役物は、対応する前記可動子の引込方向側に位置する。前記一方の駆動ユニットの前記二つの回動アームと、前記他方の駆動ユニットの前記二つの回動アームは、それぞれの前記ワイヤ用連結部がそれぞれの前記軸部に対して前記別の仮想境界面側に位置するように配置されている。前記他方の駆動ユニットでは、該駆動ユニットによって駆動される二つのワイヤが、前記仮想境界面と前記別の仮想境界面との交線に沿って前記役物側から前記２つの駆動ユニットの間に設けられた隙間を通されて前記ワイヤ用連結部に至っている。
【００１１】
上記遊技機によれば、４つのソレノイドに接続される４本のワイヤ間の距離が短くなるため、該ワイヤを収納する案内通路を狭くすることができ、また、４本のワイヤを案内通路に案内するための案内部を必要としない。これにより、役物を駆動する部材のための設置スペースを小さくすることができる。
【発明を実施するための最良の形態】
【００１２】
以下、本発明の一実施形態であるパチンコ機について、図面を参照しつつ詳細に説明する。
【００１３】
図１は、本実施形態におけるパチンコ機の遊技盤の正面図である。図１に示すように、遊技盤１００には、入賞口１０１、液晶部１０２、可動部材２００が配置されている。
パチンコ球が入賞口１０１を通過すると、液晶部１０２において所定の画像演出が行われる。液晶部１０２の表示内容が所定の条件を満たす（例えば、所定の図柄が停止）と、遊技者に対し所定の賞が付与される。
【００１４】
可動部材２００は、液晶部１０２での所定の画像演出と連動して駆動される。可動部材２００は、通常時において液晶部１０２よりも上に位置している。これにより、通常時において、可動部材２００が液晶部１０２の表示内容を妨げることはない。可動部材２００は、液晶部１０２で所定の画像演出が行われるときに、その先端部及びアーム部が液晶部１０２の前面に移動する。また、先端部の形状は変化しうる。
遊技盤１００は、奥行きのある層構造を有している。奥から順に、液晶部１０２、可動部材２００、盤面、の順に配置されている。したがって、可動部材２００が液晶部１０２よりも上に位置している状態では、可動部材２００は視認されない（なお、図１においては、説明の便宜上、可動部材２００を視認可能な状態で図示している。）。可動部材２００は、その先端部とアーム部のみが液晶部１０２の前面において視認される。
なお、図１に示した遊技盤は、本発明の単なる一例であり、本発明はこの遊技盤を有するものに限定されないことはいうまでもない。
【００１５】
図２は、遊技盤とその内部要素の一部を示した模式図である。図２に示すように、可動部材２００の駆動部の裏側には、ギア２０１が設けられている。ギア２０１は、遊技盤１００が有するギア１０３と噛合する。ギア１０３の回転に基いて、ギア２０１が回転する。ギア２０１の回転に基いて、可動部材２００の位置が制御される。
【００１６】
図３（Ａ）及び（Ｂ）は、可動部材を示した図である。図３（Ａ）及び（Ｂ）に示すように、可動部材２００は、先端部２１０、案内通路２２０、駆動部２３０を有している。先端部２１０は、カバー部２１１、役物２１２Ａ〜２１２Ｄを有している。
図３（Ａ）は、役物２１２Ａ〜２１２Ｄが閉じている状態を示している（以下、「閉状態」という。）。図３（Ｂ）は、役物２１２Ａ〜２１２Ｄが開いている状態を示している（以下、「開状態」という。）
【００１７】
案内通路２２０には、ワイヤが収納される。駆動部２３０は、ソレノイドを有している。先端部２１０、案内通路２２０、駆動部２３０は、それぞれ、フレームに取り付けられる。
【００１８】
図４（Ａ）及び（Ｂ）は、フレームを示した図である。図４（Ａ）及び（Ｂ）に示すように、フレーム２４０には、駆動部結合部２４１、役物結合部２４２が形成されている。役物結合部２４２には、固定軸２４３Ａ〜２４３Ｄが形成されている。固定軸２４３Ａ〜２４３Ｄには、それぞれ、駆動部材が取り付けられる。
【００１９】
図５は、役物結合部に駆動部材を取り付けた様子を示した図である。駆動部材２５０Ａ〜２５０Ｄは、それぞれ、軸穴２５１Ａ〜２５１Ｄ及び突出部２５２Ａ〜２５２Ｄを有する。軸穴２５１Ａ〜２５１Ｄには、それぞれ、役物結合部２４２の固定軸２４３Ａ〜２４３Ｄが挿入される。
【００２０】
突出部２５２Ａ〜２５２Ｄは、それぞれ、カバー部２１１側に突出している。
突出部２５２Ａ〜２５２Ｄには、それぞれ、役物２１２Ａ〜２１２Ｄが取り付けられる。
突出部２５２Ａ〜２５２Ｄには、それぞれ、ワイヤ２６０Ａ〜２６０Ｄが接続される。ワイヤ２６０Ａ〜２６０Ｄは、案内通路２２０内において、弾性部材２６１によって被覆してもよい。
突出部２５２Ａ〜２５２Ｄは、それぞれ、軸穴２５１Ａ〜２５１Ｄよりも仮想直線側に位置する。
【００２１】
図６（Ａ）〜図６（Ｃ）は、役物を示した図である。図６（Ａ）〜（Ｃ）に示すように、役物２１２Ｄには、固定軸結合部２１３Ｄ及び突出部結合部２１４Ｄが形成されている。固定軸結合部２１３Ｄは、役物結合部２４２の固定軸２４３Ｄと結合する。突出部結合部２１４Ｄは、駆動部材２５０Ｄの突出部２５２Ｄと結合する。
また、役物２１２Ａ〜２１２Ｃについても、同様に、固定軸結合部及び突出部結合部が形成されている。
【００２２】
図７（Ａ）及び（Ｂ）は、役物結合部に駆動部材及び役物を取り付けた様子を示した図である。また、図７（Ａ）は、閉状態を示し、図７（Ｂ）は、開状態を示している。
図７（Ａ）及び図７（Ｂ）に示すように、駆動部材２５０Ａ〜２５０Ｄは、それぞれ、固定軸２４３Ａ〜２４３Ｄを軸にして所定範囲内で回動する。駆動部材２５０Ａ〜２５０Ｄは、ワイヤの押し引きに基いて回動する。駆動部材２５０Ａ〜２５０Ｄの回動に伴い、役物２１２Ａ〜２１２Ｄが回動する。
【００２３】
図８（Ａ）及び（Ｂ）は、駆動部の内部構成を示した図である。図８（Ａ）及び（Ｂ）に示すように、駆動部２３０は、ソレノイドベース２３１Ａ及び２３１Ｂ、ソレノイド２３２Ａ〜２３２Ｄを有する。
図８（Ａ）に示すように、ソレノイド２３２Ａとソレノイド２３２Ｂとが対となってソレノイドベース２３１Ａに配置されている。ソレノイドベース２３１Ａは、駆動部結合部２４１に取り付けられる。また、ソレノイド２３２Ｃとソレノイド２３２Ｄとが対となってソレノイドベース２３１Ｂに配置されている。ソレノイドベース２３１Ｂは、駆動部結合部２４１に取り付けられる。
【００２４】
ソレノイドベース２３１Ａとソレノイドベース２３１Ｂとは、上下の位置関係にあり、また、平行な位置関係にある。ソレノイド２３２Ａ及びソレノイド２３２Ｂからなるソレノイド対の設置面と、ソレノイド２３２Ｃ及びソレノイド２３２Ｄからなるソレノイド対の設置面は、上下の位置関係にある。ソレノイド２３２Ａとソレノイド２３２Ｂとは、所定間隔離れて配置される。同様に、ソレノイド２３２Ｃとソレノイド２３２Ｄとは、所定間隔離れて配置される。
それぞれのソレノイドベースには、軸受部２３４が形成されている。
【００２５】
図８（Ｂ）に示すように、ソレノイド２３２Ａとソレノイド２３２Ｂとは、同じ向きに配置されている。同様に、ソレノイド２３２Ｃと２３２Ｄとは、同じ向きに配置されている。
また、ソレノイド２３２Ａ〜２３２Ｄは、それぞれ、ワイヤ２６０Ａ〜２６０Ｄと接続する。これにより、ソレノイド２３２Ａ〜２３２Ｄは、それぞれ、役物２１２Ａ〜２１２Ｄと接続することになる。
【００２６】
また、ソレノイド２３２Ａ〜２３２Ｄは、それぞれ、可動子２３３Ａ〜２３３Ｄを備えている。それぞれのソレノイドは、電流が供給されると（ＯＮ状態）、可動子を吸引する（以下、可動子が吸引されている状態を「吸引状態」という。）。一方、ソレノイドに電流が供給されていない状態（ＯＦＦ状態）では、可動子は、ソレノイド本体から突出した状態（以下、「突出状態」という。）となる。ソレノイド２３２Ａ〜２３２Ｄに対して、それぞれ独立して電流の供給制御を行うことができる。また、可動子２３３Ａ〜２３３Ｄには、それぞれ、回動アームが取り付けられている。
【００２７】
図９（Ａ）及び（Ｂ）は、回動アームを示した図である。図９（Ａ）及び（Ｂ）に示すように、回動アーム２７０には、軸部２７１、ソレノイド用連結部２７２、ワイヤ接続部２７３が形成されている。軸部２７１は、回動アーム２７０の両端に形成されている。軸部２７１は、ソレノイドの設置面と平行な位置関係にある。軸部２７１は、ソレノイドベースの軸受部２３４に取り付けられる。ソレノイド用連結部２７２は、可動子と遊嵌する。ワイヤ接続部２７３は、ワイヤの一端と接続する。ワイヤ接続部２７３には、ピン穴２７４が形成されている。軸部２７１は、ソレノイド用連結部２７２とワイヤ接続部２７３との間に位置する。
【００２８】
回動アーム２７０は、軸部２７１を中心として回動自在である。また、ソレノイド用連結部２７２の移動方向とワイヤ接続部２７３の移動方向とは逆向きの関係にある。
【００２９】
図１０（Ａ）及び（Ｂ）は、閉状態にある可動部材の一部要素を示した図である。
図１０（Ａ）において、ソレノイド２３２ＡはＯＦＦ状態であるため、可動子２３３Ａは、突出状態にあり（ａ）側に位置することになる。
これにより、可動子２３３Ａと遊嵌する回動アーム２７０のワイヤ接続部２７３は、（ｂ）側に位置することになる。
これにより、ワイヤ２６０Ａは、（ｂ）側に引かれることになる。
これにより、駆動部材２５０Ａの突出部２５２Ａは、（ｂ）側に位置することになる。
これにより、役物２１２Ａは、閉状態となる。
【００３０】
また、ソレノイド２３２Ｂ〜役物２１２Ｂの関係についても同様である。
【００３１】
また、図１０（Ａ）において、ソレノイド２３２ＤはＯＦＦ状態であるため、可動子２３３Ｄは突出状態にあり（ｂ）側に位置することになる。
これにより、可動子２３３Ｄと遊嵌する回動アーム２７０のワイヤ接続部２７３は、（ａ）側に位置することになる。
これにより、ワイヤ２６０Ｄは、（ａ）側に押されることになる。
これにより、駆動部材２５０Ｄの突出部２５２Ｄは、（ａ）側に位置することになる。
これにより、役物２１２Ｄは、閉状態となる。
【００３２】
また、ソレノイド２３２Ｃ〜役物２１２Ｃとの位置関係についても同様である。
【００３３】
図１０（Ａ）に示すように、ソレノイド２３２Ａに対応するワイヤ接続部２７３は、ソレノイド用連結部２７２よりもソレノイド２３２Ｄ側に位置する。また、ソレノイド２３２Ｄに対応するワイヤ接続部２７３は、ソレノイド用連結部２７２よりもソレノイド２３２Ａ側に位置する。これにより、ワイヤ２６０Ａとワイヤ２６０Ｄとの距離を短くすることができる。同様に、ワイヤ２６０Ｂとワイヤ２６０Ｃとの距離を短くすることができる。
【００３４】
図１０（Ｂ）に示すように、役物２１２Ｂの形状と役物２１２Ｄの形状とは同一である。しかし、役物２１２Ａの形状、役物２１２Ｂの形状、役物２１２Ｃの形状は、それぞれ異なる。これにより、それぞれの役物が閉状態・開状態のいずれであっても、役物が互いに接触することがない。
【００３５】
ここで、ソレノイド２３２Ａとソレノイド２３２Ｂの間に位置する平面であって、各可動子の往復直線移動方向と平行な平面を仮想境界面として規定する。ソレノイド２３２Ａ及びソレノイド２３２Ｂに対応する各軸部２７１は、相互に平行であり、かつ、前記仮想境界面に垂直となるように配置される。また、それぞれのワイヤ接続部２７３は、前記仮想境界面に向かって張り出して設けられる。また、ソレノイド２３２Ａとソレノイド２３２Ｂに対応するワイヤ接続部２７３は、互いに相対するように設けられる。また、それぞれの可動子の往復直線移動方向は、前記仮想境界面と平行な位置関係にある。
【００３６】
また、ソレノイド２３２Ｃ及びソレノイド２３２Ｄに対応する各軸部２７１及びワイヤ接続部２７３についても同様である。
【００３７】
図１１（Ａ）及び（Ｂ）は、開状態にある可動部材の一部要素を示した図である。
図１１（Ａ）及び（Ｂ）において、ソレノイド２３２ＡはＯＮ状態であるため、可動子２３３Ａは、吸引状態にあり（ｂ）側に位置することになる。
これにより、可動子２３３Ａと遊嵌する回動アーム２７０のワイヤ接続部２７３は、（ａ）側に位置することになる。
これにより、ワイヤ２６０Ａは、（ａ）側に押されることになる。
これにより、駆動部材２５０Ａの突出部２５２Ａは、（ａ）側に位置することになる。
これにより、役物２１２Ａは、開状態となる。
【００３８】
また、ソレノイド２３２Ｂ〜役物２１２Ｂの関係についても同様である。
【００３９】
また、図１１（Ａ）及び（Ｂ）において、ソレノイド２３２ＤはＯＮ状態であるため、可動子２３３Ｄは、吸引状態にあり（ａ）側に位置することになる。
これにより、可動子２３３Ｄと遊嵌する回動アーム２７０のワイヤ接続部２７３は、（ｂ）側に位置することになる。
これにより、ワイヤ２６０Ｄは、（ｂ）側に引かれることになる。
これにより、駆動部材２５０Ｄの突出部２５２Ｄは、（ｂ）側に位置することになる。
これにより、役物２１２Ｄは、開状態となる。
【００４０】
また、ソレノイド２３２Ｃ〜役物２１２Ｃとの位置関係についても同様である。
【００４１】
可動部材２００は、通常時において閉状態であり、所定の画像演出時に限って開状態となる（図１参照）。これにより、遊技時間の多くを占める通常時において、それぞれのソレノイドはＯＦＦ状態であるため、可動部材２００に対する電力消費量を抑制することができる。
【００４２】
次に、回動アームとワイヤの接続関係について説明する。
図１２は、回動アームとワイヤの接続関係を示した図である。図１２に示すように、ワイヤ２６０Ａの先端には、取付部材２８１が取り付けられている。取付部材２８１は、例えば、Ｏ型圧着端子形状とすることができる。取付部材２８１は、ピン孔２８５を有する。
【００４３】
フランジピン２８２Ａは、ピン部２８３Ａとフランジ部２８４Ａとから構成されている。ここで、ワイヤ接続部とフランジピンとを総称して「ワイヤ用連結部」ということができる。
【００４４】
取付部材２８１のピン孔２８５に、フランジピン２８２Ａのピン部２８３Ａが遊挿される。また、フランジ部２８４Ａの断面積は、ピン部２８３Ａの断面積よりも大きい。したがって、ワイヤ２６０Ａは、フランジピン２８２Ａのフランジ部２８４Ａによって、ピン部２８３Ａから抜け止めされている。これにより、ワイヤ２６０Ａは、対応するワイヤ用連結部と連結されることになる。
同様に、可動子２３３Ｂ〜２３３Ｄに取り付けられる回動アーム２７０についても、それぞれ、対応するワイヤ用連結部及び取付部材を用いてワイヤ２６０Ｂ〜２６０Ｄと接続される。
【００４５】
図１３は、可動部材の一部要素を示した図である。図１３では、役物２１２Ａが開状態であり、役物２１２Ｂが閉状態であり、役物２１２Ｃが閉状態であり、役物２１２Ｄが開状態である。ソレノイド２３２Ａ及び２３２ＤをＯＮ状態とし、ソレノイド２３２Ｂ及び２３２ＣをＯＦＦ状態とすることで、図１３に示す状態とすることができる。また、フランジピン２８２Ａ及び２８２Ｂが、それぞれのフランジ部を以って当接することにより、ピン穴２７４及びピン孔２８５から抜け出ることを防いでいる。すなわち、それぞれのフランジ部が、抜け止め作用を奏している。
【００４６】
このとき、ソレノイド２３２Ａに対応するワイヤ接続部２７３は（ａ）側に位置し、ソレノイド２３２Ｂに対応するワイヤ接続部２７３は（ｂ）側に位置することになる。この状態においても、フランジ部２８４Ａとフランジ部２８４Ｂはその一部同士が当接しているので、フランジピン２８２Ａ及び２８２Ｂが、ピン穴及び取付部材からはずれることがない。
【００４７】
また、フランジ部２８４Ｃとフランジ部２８４Ｄの関係についても同様である。
【００４８】
それぞれのフランジ部の厚さを数ミリ程度とすることができるので、ワイヤ２６０Ａ及びワイヤ２６０Ｂの間隔「ｔ」を小さくすることができる。また、ワイヤ２６０Ｃ及びワイヤ２６０Ｄの間隔についても同様である。これにより、それぞれのワイヤが収納される案内通路２２０を細くすることができる。
【００４９】
図１４は、役物の状態とフランジ部の位置との関係を示した図である。
図１４（Ａ）は、役物２１２Ａ及び役物２１２Ｂが閉状態にあるときの各フランジ部の位置を示している。このとき、図に示すように、ピン部２８３Ａ（役物２１２Ａに対応）及びピン部２８３Ｂ（役物２１２Ｂに対応）の中心位置が、軸部２７１の中心位置よりも、「ｋ１」だけ左にずれている。
【００５０】
図１４（Ｂ）は、役物２１２Ａ及び役物２１２Ｂが開状態にあるときの各フランジ部の位置を示している。このとき、図に示すように、ピン部２８３Ａ（役物２１２Ａに対応）及びピン部２８３Ｂ（役物２１２Ｂに対応）の中心位置が、軸部２７１の中心位置よりも、「ｋ２」だけ右にずれている。
【００５１】
図１４（Ａ）及び（Ｂ）から明らかなとおり、それぞれのフランジピンの移動距離は、「ｋ１＋ｋ２」となる。
【００５２】
図１４（Ｃ）は、役物２１２Ａが開状態にあり、役物２１２Ｂが閉状態にあるときの各フランジ部の位置を示している。このとき、図に示すように、ピン部２８３Ａとピン部２８３Ｂの中心位置は、「ｋ１＋ｋ２」だけずれているものの、フランジ部２８４Ａとフランジ部２８４Ｂはその一部同士が当接しているので、それぞれのフランジピンが、ピン穴及び取付部材からはずれることがない。すなわち、当接するフランジ部の相対移動量が最大となった場合でも、一方のフランジピンと他方のフランジピンが相互にフランジ部を以って当接してピン穴からの抜け止め作用を奏するよう、フランジ部の外形寸法が設定されている。
【００５３】
図１４（Ｄ）は、役物２１２Ａが閉状態にあり、役物２１２Ｂが開状態にあるときの各フランジ部の位置を示している。このとき、図に示すように、ピン部２８３Ａとピン部２８３Ｂの中心位置は、「ｋ１＋ｋ２」だけずれているものの、フランジ部２８４Ａとフランジ部２８４Ｂはその一部同士が当接しているので、それぞれのフランジピンが、ピン穴及び取付部材からはずれることがない。すなわち、当接するフランジ部の相対移動量が最大となった場合でも、一方のフランジピンと他方のフランジピンが相互にフランジ部を以って当接してピン穴からの抜け止め作用を奏するよう、フランジ部の外形寸法が設定されている。
【００５４】
また、フランジ部２８４Ｃとフランジ部２８４Ｄの関係についても同様である。
【００５５】
それぞれのワイヤは、大きな曲げを伴うことなく駆動部材（役物）と回動アーム（ソレノイド）とを接続することができる。また、ソレノイドに接続されたワイヤを一本の案内通路に案内規制するための案内部を必要としない。さらに、それぞれのワイヤは、大きな曲げを伴わないので、ワイヤに曲げクセが生じない。
【００５６】
なお、本発明は前記実施形態に限定されるものではなく、本発明の趣旨を逸脱しない範囲内での種々の改良、変更が可能であることはいうまでもない。
【００５７】
例えば、図１５に示すように、可動部材２００の裏側にラック２０２を設け、ギア１０３の回転に基いて、可動部材２００を上下方向に移動するよう構成してもよい。
【図面の簡単な説明】
【００５８】
【図１】パチンコ機の遊技盤の正面図。
【図２】遊技盤とその内部要素の一部を示した模式図。
【図３】可動部材を示した図。
【図４】フレームを示した図。
【図５】役物結合部に駆動部材を取り付けた様子を示した図。
【図６】役物を示した図。
【図７】役物結合部に駆動部材及び役物を取り付けた様子を示した図。
【図８】駆動部の内部構成を示した図。
【図９】回動アームを示した図。
【図１０】閉状態にある可動部材の一部要素を示した図。
【図１１】開状態にある可動部材の一部要素を示した図。
【図１２】回動アームとワイヤの接続関係を示した図。
【図１３】可動部材の一部要素を示した図。
【図１４】役物の状態とフランジ部の位置との関係を示した図。
【図１５】パチンコ機の遊技盤の正面図。
【符号の説明】
【００５９】
可動部材…２００、役物…２１０、案内通路…２２０、ソレノイド…２３２Ａ〜２３２Ｄ、可動子…２３３Ａ〜２３３Ｄ、軸受け部…２３４、ワイヤ…２６０Ｂ〜２６０Ｄ、回動アーム…２７０、ワイヤ接続部…２７３、ピン穴…２７４、フランジピン…２８２Ａ〜２８２Ｄ、ピン部…２８３Ａ〜２８３Ｄ、フランジ部…２８４Ａ〜２８４Ｄ、ピン孔…２８５
【図１】
0005212796.tif 000002
【図２】
0005212796.tif 000003
【図３】
0005212796.tif 000004
【図４】
0005212796.tif 000005
【図５】
0005212796.tif 000006
【図６】
0005212796.tif 000007
【図７】
0005212796.tif 000008
【図８】
0005212796.tif 000009
【図９】
0005212796.tif 000010
【図１０】
0005212796.tif 000011
【図１１】
0005212796.tif 000012
【図１２】
0005212796.tif 000013
【図１３】
0005212796.tif 000014
【図１４】
0005212796.tif 000015
【図１５】
0005212796.tif 000016